(57)【要約】【課題】画像データを生成および転送するためのシステムおよび方法【解決手段】一実施形態において、本発明は、画像データをスキャン装置のような文書読取装置からＦＴＰを介してファイル転送プロトコル（ＦＴＰ）サーバへ転送するためのシステムおよび方法を提供することを目的とする。別の実施形態においては、本発明は、スキャン装置のような文書読取装置から受信された画像データを圧縮およびアーカイブし、アーカイブされた画像データをＦＴＰを介してファイル転送プロトコル（ＦＴＰ）サーバへ転送するためのシステムおよび方法を提供することを目的とする。さらに別の実施形態においては、本発明は、画像データを文書読取装置から受信し、光学文字認識パラメータを選択し、そして、そのパラメータに基づいて、画像データに対して光学文字認識を実行するためのシステムおよび方法を提供することを目的とする。また、別の実施形態においては、本発明は、画像データをスキャン装置のような文書読取装置から複数のエージェントへ転送するためのシステムおよび方法を提供することを目的とする。
2005528053.tif 000002
【特許請求の範囲】
【請求項１】
画像データを文書読取装置からサーバへ転送するためのシステムであって、
画像データを関連する文書読取装置から受信する手段と、
少なくとも１つの選択されたデータ転送形式およびデータ転送ターゲットを表現するデータを含む関連するデータ転送信号を選択する手段と、
前記選択されたデータ転送信号に基づいて、前記画像データを前記関連する文書読取装置からデータ転送システムを介して関連するサーバへ送信する手段と、
を備えたシステム。
【請求項２】
前記データ転送信号に基づいて前記画像データを前記文書読取装置から文書読取装置コントローラへ送信する手段と、前記データ転送信号に基づいて前記画像データを前記文書読取装置コントローラから前記サーバへ送信する手段とを備えた請求項１に記載のシステム。
【請求項３】
前記画像データを前記サーバへ送信する前に、前記文書読取装置コントローラは、前記画像データを選択された形式に変換する請求項２に記載のシステム。
【請求項４】
前記文書読取装置コントローラは、まず最初に、前記画像データをレクター形式に変換し、そして、前記データ転送信号に基づいて、前記画像データを前記選択された形式に変換する請求項３に記載のシステム。
【請求項５】
前記画像データを生成するためのパラメータを選択する手段をさらに備えた請求項１に記載のシステム。
【請求項６】
前記サーバは、ファイル転送プロトコルサーバである請求項１に記載のシステム。
【請求項７】
前記データ転送形式は、ＴＩＦＦ（登録商標）およびＰＤＦ（登録商標）からなる群から選択される請求項１に記載のシステム。
【請求項８】
前記データ転送システムは、ファイル転送プロトコルである請求項１に記載のシステム。
【請求項９】
前記文書読取装置は、画像スキャン装置および光学文字認識装置からなる群から選択される請求項１に記載のシステム。
【請求項１０】
画像データを文書読取装置からサーバへ転送するための方法であって、
画像データを関連する文書読取装置から受信し、
少なくとも１つの選択されたデータ転送形式およびデータ転送ターゲットを表現するデータを含む関連するデータ転送信号を選択し、
前記選択されたデータ転送信号に基づいて、前記画像データを前記関連する文書読取装置からデータ転送システムを介して関連するサーバへ送信する、
ことを備えた方法。
【請求項１１】
前記データ転送信号に基づいて前記画像データを前記文書読取装置から文書読取装置コントローラへ送信し、前記データ転送信号に基づいて前記画像データを前記文書読取装置コントローラから前記サーバへ送信することをさらに備えた請求項１０に記載の方法。
【請求項１２】
前記画像データを前記サーバへ送信する前に、前記文書読取装置コントローラは、前記画像データを選択された形式に変換する請求項１１に記載の方法。
【請求項１３】
前記文書読取装置コントローラは、まず最初に、前記画像データをレクター形式に変換し、そして、前記データ転送信号に基づいて、前記画像データを前記選択された形式に変換する請求項１２に記載の方法。
【請求項１４】
前記画像データを生成するためのパラメータを選択することをさらに備えた請求項１０に記載の方法。
【請求項１５】
前記サーバは、ファイル転送プロトコルサーバである請求項１０に記載の方法。
【請求項１６】
前記データ転送形式は、ＴＩＦＦ（登録商標）およびＰＤＦ（登録商標）からなる群から選択される請求項１０に記載の方法。
【請求項１７】
前記データ転送システムは、ファイル転送プロトコルである請求項１０に記載の方法。
【請求項１８】
前記文書読取装置は、画像スキャン装置および光学文字認識装置からなる群から選択される請求項１０に記載の方法。
【請求項１９】
文書読取装置から受信された画像データをアーカイブし、かつ、前記アーカイブされた画像データをサーバへ転送するためのシステムであって、
画像データを関連する文書読取装置から受信する手段と、
少なくとも１つの選択されたデータ転送形式およびデータ転送ターゲットを表現するデータを含む関連するデータ転送信号を選択する手段と、
前記画像データを圧縮およびアーカイブする手段と、
前記選択されたデータ転送信号に基づいて、前記画像データを前記関連する文書読取装置からデータ転送システムを介して関連するサーバへ送信する手段と、
を備えたシステム。
【請求項２０】
前記データ転送信号に基づいて前記画像データを前記文書読取装置から文書読取装置コントローラへ送信する手段と、前記データ転送信号に基づいて前記画像データを前記文書読取装置コントローラから前記サーバへ送信する手段とを備えた請求項１９に記載のシステム。
【請求項２１】
前記文書読取装置コントローラは、前記画像データをｚｉｐ（登録商標）ファイルに圧縮する請求項２０に記載のシステム。
【請求項２２】
前記画像データを生成するためのパラメータを選択する手段をさらに備えた請求項１９に記載のシステム。
【請求項２３】
前記サーバは、ファイルサーバである請求項１９に記載のシステム。
【請求項２４】
前記ファイルサーバは、ファイル転送プロトコルサーバである請求項２３に記載のシステム。
【請求項２５】
前記データ転送システムは、ファイル転送プロトコルである請求項１９に記載のシステム。
【請求項２６】
前記文書読取装置は、画像スキャン装置および光学文字認識装置からなる群から選択される請求項１９に記載のシステム。
【請求項２７】
文書読取装置から受信された画像データをアーカイブし、かつ、前記画像データをサーバへ転送するための方法であって、
画像データを関連する文書読取装置から受信し、
少なくとも１つの選択されたデータ転送形式およびデータ転送ターゲットを表現するデータを含む関連するデータ転送信号を選択し、
前記画像データを圧縮およびアーカイブし、
前記選択されたデータ転送信号に基づいて、前記アーカイブされた画像データを前記関連する文書読取装置からデータ転送システムを介して関連するサーバへ送信する、
ことを備えた方法。
【請求項２８】
前記データ転送信号に基づいて前記画像データを前記文書読取装置から文書読取装置コントローラへ送信し、前記データ転送信号に基づいて前記画像データを前記文書読取装置コントローラから前記サーバへ送信することをさらに備えた請求項２７に記載の方法。
【請求項２９】
前記文書読取装置コントローラは、前記画像データをｚｉｐ（登録商標）ファイルに圧縮する請求項２８に記載の方法。
【請求項３０】
前記画像データを生成するためのパラメータを選択することをさらに備えた請求項２７に記載の方法。
【請求項３１】
前記サーバは、ファイルサーバである請求項２７に記載の方法。
【請求項３２】
前記ファイルサーバは、ファイル転送プロトコルサーバである請求項３１に記載の方法。
【請求項３３】
前記データ転送システムは、ファイル転送プロトコルである請求項２７に記載の方法。
【請求項３４】
前記文書読取装置は、画像スキャン装置および光学文字認識装置からなる群から選択される請求項２７に記載の方法。
【請求項３５】
文書読取装置から受信された画像データに対して光学文字認識を実行するためのシステムであって、
画像データを関連する文書読取装置から受信する手段と、
前記画像データに対して光学文字認識を実行するための光学文字認識パラメータを選択する手段と、
前記選択された光学文字認識パラメータに基づいて、前記画像データに対して光学文字認識を実行する手段と、
を備えたシステム。
【請求項３６】
前記画像データに対して光学文字認識を実行する前に、前記画像データを少なくとも１つの選択された形式に変換する手段をさらに備えた請求項３５に記載のシステム。
【請求項３７】
前記画像データに対して光学文字認識を実行する前に、前記画像データは、まず最初に、レクター形式に変換され、そして、ＴＩＦＦ（登録商標）形式に変換される請求項３６に記載のシステム。
【請求項３８】
前記画像データに対して光学文字認識を実行した後に前記画像データを選択された形式に変換する手段をさらに備えた請求項３５に記載のシステム。
【請求項３９】
前記画像データに対して光学文字認識を実行した後に前記画像データを記憶する手段をさらに備えた請求項３５に記載のシステム。
【請求項４０】
前記画像データを生成するためのパラメータを選択する手段をさらに備えた請求項３５に記載のシステム。
【請求項４１】
前記画像データを文書読取装置コントローラへ送信する手段をさらに備え、前記コントローラが、光学文字認識のためのパラメータを選択する手段と、前記画像データに対して光学文字認識を実行する手段とを含む請求項３５に記載のシステム。
【請求項４２】
前記文書読取装置コントローラは、前記画像データに対して光学文字認識を実行する前に前記画像データを少なくとも１つの選択された形式に変換する手段をさらに備えた請求項４１に記載のシステム。
【請求項４３】
前記文書読取装置コントローラは、前記画像データに対して光学文字認識を実行した後に前記画像データを選択された形式に変換する手段をさらに備えた請求項４１に記載のシステム。
【請求項４４】
前記文書読取装置コントローラは、前記画像データに対して光学文字認識を実行した後に前記画像データを記憶する手段をさらに備えた請求項４１に記載のシステム。
【請求項４５】
文書読取装置から受信された画像データに対して光学文字認識を実行するための方法であって、
画像データを関連する文書読取装置から受信し、
前記画像データに対して光学文字認識を実行するために、光学文字認識パラメータを選択し、
前記選択された光学文字認識パラメータに基づいて、前記画像データに対して光学文字認識を実行する、
ことを備えた方法。
【請求項４６】
前記画像データに対して光学文字認識を実行する前に、前記画像データを少なくとも１つの選択された形式に変換することをさらに備えた請求項４５に記載の方法。
【請求項４７】
前記画像データに対して光学文字認識を実行する前に、前記画像データは、まず最初に、レクター形式に変換され、そして、ＴＩＦＦ（登録商標）形式に変換される請求項４５に記載の方法。
【請求項４８】
前記画像データに対して光学文字認識を実行した後に、前記画像データを選択された形式に変換することをさらに備えた請求項４５に記載の方法。
【請求項４９】
前記画像データに対して光学文字認識を実行した後に、前記画像データを記憶することをさらに備えた請求項４５に記載の方法。
【請求項５０】
前記画像データを生成するためのパラメータを選択することをさらに備えた請求項４５に記載の方法。
【請求項５１】
前記画像データを文書読取装置コントローラへ送信することをさらに備え、前記コントローラは、光学文字認識のためのパラメータを選択するステップと、前記画像データに対して光学文字認識を実行するステップとを実行する請求項４５に記載の方法。
【請求項５２】
前記文書読取装置コントローラは、前記画像データに対して光学文字認識を実行する前に、前記画像データを少なくとも１つの選択された形式に変換するステップを実行する請求項５１に記載の方法。
【請求項５３】
前記文書読取装置コントローラは、前記画像データに対して光学文字認識を実行した後に、前記画像データを選択された形式に変換するステップを実行する請求項５１に記載の方法。
【請求項５４】
前記文書読取装置コントローラは、前記画像データに対して光学文字認識を実行した後に、前記画像データを記憶するステップを実行する請求項５１に記載の方法。
【請求項５５】
画像データを文書読取装置から複数の関連するエージェントへ転送するためのシステムであって、
画像データを関連する文書読取装置から受信する手段と、
それぞれの関連するエージェントごとに関連するデータ転送信号を選択する手段であり、それぞれのデータ転送信号が、選択されたデータ転送形式を表現するデータを含み、前記選択されたデータ転送形式が、それぞれのエージェントごとに同じである、前記手段と、
それぞれのエージェントごとに選択された前記データ転送信号に基づいて、前記画像データを前記関連する文書読取装置からデータ転送システムを介してそれぞれの関連するエージェントへ送信する手段であり、前記画像データが、順次、前記文書読取装置からそれぞれのエージェントへ送信される、前記手段と、
を備えたシステム。
【請求項５６】
前記画像データをそれぞれのエージェントへ送信する順序は、前記文書読取装置によって決定される請求項５５に記載のシステム。
【請求項５７】
前記画像データをそれぞれのエージェントへ送信する順序は、それぞれの先行するエージェントによって決定される請求項５５に記載のシステム。
【請求項５８】
前記画像データを前記文書読取装置から文書読取装置コントローラへ送信する手段と、
それぞれのエージェントごとの前記データ転送信号に基づいて前記画像データを前記文書読取装置コントローラからそれぞれの関連するエージェントへ送信する手段と、
をさらに備えた請求項５５に記載のシステム。
【請求項５９】
前記文書読取装置コントローラは、少なくとも１つの選択されたデータ記憶領域を含み、前記画像データは、前記文書読取装置から前記少なくとも１つの選択されたデータ記憶領域内に送信され、前記画像データは、それぞれのエージェントごとの前記データ転送信号に基づいて、前記少なくとも１つの選択されたデータ記憶領域からそれぞれのエージェントへ送信される請求項５８に記載のシステム。
【請求項６０】
前記少なくとも１つのデータ記憶領域を少なくとも１つの関連するユーザに対応させる手段をさらに備えた請求項５９に記載のシステム。
【請求項６１】
前記少なくとも１つのデータ記憶領域に関する選択情報を関連するユーザに入力するように促す手段と、
前記ユーザに促した後に、ユーザが選択したデータ記憶領域を指示する選択データを前記関連するユーザから受信する手段と、
をさらに備えた請求項６０に記載のシステム。
【請求項６２】
前記選択情報は、少なくとも１つのデータ記憶領域ロケーション、データ記憶領域名、アクセス許可、前記データ記憶領域に対応するユーザ名、および、ユーザ名パスワードを含む請求項５８に記載のシステム。
【請求項６３】
前記文書読取装置コントローラは、前記画像データをそれぞれの関連するエージェントへ送信する前に前記画像データを選択された形式に変換する手段を備えた請求項５６に記載のシステム。
【請求項６４】
前記文書読取装置コントローラは、まず最初に、前記画像データをレクター形式に変換し、そして、前記画像データを前記選択された形式に変換する手段を備えた請求項６３に記載のシステム。
【請求項６５】
前記画像データを生成するためのパラメータを選択する手段をさらに備えた請求項５５に記載のシステム。
【請求項６６】
前記データ転送形式は、ＴＩＦＦ（登録商標）およびＰＤＦ（登録商標）からなる群から選択される請求項５５に記載のシステム。
【請求項６７】
前記文書読取装置は、画像生成装置である請求項５５に記載のシステム。
【請求項６８】
前記関連するエージェントは、ストレージリポジトリ、サーバ、画像生成装置、および、光学文字認識システムを含む請求項５５に記載のシステム。
【請求項６９】
画像データを文書読取装置から複数の関連するエージェントへ転送するための方法であって、
画像データを関連する文書読取装置から受信するステップと、
それぞれの関連するエージェントごとに関連するデータ転送信号を選択するステップであり、それぞれのデータ転送信号が、選択されたデータ転送形式を表現するデータを含み、前記選択されたデータ転送形式が、それぞれのエージェントごとに同じである、前記ステップと、
それぞれのエージェントごとに選択された前記データ転送信号に基づいて、前記画像データを前記関連する文書読取装置からデータ転送システムを介してそれぞれの関連するエージェントへ送信するステップであり、前記画像データが、順次、前記文書読取装置からそれぞれのエージェントへ送信される、前記ステップと、
を備えた方法。
【請求項７０】
前記画像データをそれぞれのエージェントへ送信する順序は、前記文書読取装置によって決定される請求項６９に記載の方法。
【請求項７１】
前記画像データをそれぞれのエージェントへ送信する順序は、それぞれの先行するエージェントによって決定される請求項６９に記載の方法。
【請求項７２】
前記画像データを前記文書読取装置から文書読取装置コントローラへ送信するステップと、
それぞれのエージェントごとの前記データ転送信号に基づいて前記画像データを前記文書読取装置コントローラからそれぞれの関連するエージェントへ送信するステップと、
をさらに備えた請求項６９に記載の方法。
【請求項７３】
前記文書読取装置コントローラは、少なくとも１つの選択されたデータ記憶領域を含み、前記画像データは、前記文書読取装置から前記少なくとも１つの選択されたデータ記憶領域内に送信され、前記画像データは、それぞれのエージェントごとの前記データ転送信号に基づいて、前記少なくとも１つの選択されたデータ記憶領域からそれぞれのエージェントへ送信される請求項７２に記載の方法。
【請求項７４】
前記少なくとも１つのデータ記憶領域を少なくとも１つの関連するユーザに対応させるステップをさらに備えた請求項６９に記載の方法。
【請求項７５】
前記少なくとも１つのデータ記憶領域に関する選択情報を関連するユーザに入力するように促すステップと、
前記ユーザに促した後に、ユーザが選択したデータ記憶領域を指示する選択データを前記関連するユーザから受信するステップと、
をさらに備えた請求項７４に記載の方法。
【請求項７６】
前記選択情報は、少なくとも１つのデータ記憶領域ロケーション、データ記憶領域名、アクセス許可、前記データ記憶領域に対応するユーザ名、および、ユーザ名パスワードを含む請求項７５に記載の方法。
【請求項７７】
前記画像データをそれぞれの関連するエージェントへ送信する前に、前記文書読取装置コントローラによって、前記画像データを選択された形式に変換するステップをさらに備えた請求項７２に記載の方法。
【請求項７８】
前記画像データは、まず最初に、レクター形式に変換され、そして、前記画像データが、前記選択された形式に変換される請求項７７に記載の方法。
【請求項７９】
前記画像データを生成するためのパラメータを選択するステップをさらに備えた請求項６９に記載の方法。
【請求項８０】
前記データ転送形式は、ＴＩＦＦ（登録商標）およびＰＤＦ（登録商標）からなる群から選択される請求項６９に記載の方法。
【請求項８１】
前記文書読取装置は、画像生成装置である請求項６９に記載の方法。
【請求項８２】
前記関連するエージェントは、ストレージリポジトリ、サーバ、画像生成装置、および、光学文字認識システムを含む請求項６９に記載の方法。
【発明の詳細な説明】
【技術分野】
【０００１】
本発明は、画像データを生成および転送するためのシステムおよび方法に関する。一実施形態においては、本発明は、スキャン装置のような文書読取装置からＦＴＰを介してファイル転送プロトコル（ＦＴＰ）サーバへ画像データを転送するためのシステムおよび方法に関する。別の実施形態においては、本発明は、スキャン装置のような文書読取装置から受信された画像データを圧縮およびアーカイブし、そして、アーカイブされた画像データをＦＴＰを介してファイル転送プロトコル（ＦＴＰ）サーバへ転送するためのシステムおよび方法に関する。さらに別の実施形態においては、本発明は、文書読取装置から画像データを受信し、光学文字認識パラメータを選択し、そして、そのパラメータに基づいて、画像データに対して光学文字認識を実行するためのシステムおよび方法に関する。さらなる実施形態においては、本発明は、スキャン装置のような文書読取装置から複数のエージェントへ画像データを転送するためのシステムおよび方法に関する。
【背景技術】
【０００２】
一般的に、ユーザが、スキャナ、コピー機、または、その他の文書読取装置を使用する場合、生成された画像データは、さらなる処理のための共有ネットワークドライブに保存される。これらの共有ネットワークドライブには、Ｗｉｎｄｏｗｓ（登録商標）環境から容易にアクセスすることができる。しかしながら、多くの場合、非Ｗｉｎｄｏｗｓ（登録商標）ユーザは、共有ネットワークドライブ内に存在するデータにどのようにしてアクセスするかという問題を有し、そのデータが生成された後にそのデータをローカルワークステーションへ移動させるには、煩わしいプロセスを経なければならない。例えば、ユーザが、ＦＴＰによって、画像データをリモートＦＴＰサーバへ送信したい場合、ユーザは、データをＦＴＰ能力を有する装置に移動させ、そして、データをＦＴＰサーバへ送信しなければならない。さらに、ユーザは、データにアクセスするために、アプリケーションをインストールし、あるいは、ユーザのワークステーションまたは装置をシステム設定する余計な時間を浪費しなければならないかもしれない。
【０００３】
さらに、さらなる処理を実行するためには、ユーザは、共有ネットワークドライブからの画像データにアクセスしなければならず、そして、データが生成された後にデータをローカルワークステーションへ移動させるために、煩わしいプロセスを経なければならない。例えば、ユーザが、画像データを光学文字認識装置へ送信したい場合、ユーザは、そのデータを、光学文字認識能力を有する装置へ移動させ、そして、データをそのような装置へ送信しなければならない。また、ユーザが、画像データを光学文字認識装置へ送信し、そして、電子メールサーバへ送信したい場合、ユーザは、データを、光学文字認識能力を有する装置へ移動させなければならず、そして、また、データを電子メールサーバへ送信しなければならない。ユーザは、ユーザが画像を送信したいかまたは画像を処理させたいそれぞれの装置またはエージェントごとに、これらの中間ステップに没頭しなければならない。
【発明の開示】
【発明が解決しようとする課題】
【０００４】
画像データをより容易にアーカイブしてサーバへ転送することができ、Ｗｉｎｄｏｗユーザおよび非Ｗｉｎｄｏｗｓ（登録商標）ユーザによってより容易に画像データにアクセスすることができ、かつ、文書読取装置の利用率およびユーザの生産性を増大させることのできるシステムおよび方法が、必要とされている。また、文書読取装置から受信された画像データに対して光学文字認識を容易に実行するためのシステムおよび方法が、必要とされている。さらに、処理のために画像データを文書読取装置から複数の異なるエージェントへ容易に転送するためのシステムおよび方法が、必要とされている。
【課題を解決するための手段】
【０００５】
本発明によれば、画像データをサーバへ容易に転送し、Ｗｉｎｄｏｗユーザおよび非Ｗｉｎｄｏｗｓ（登録商標）ユーザによってより容易に画像データにアクセスすることができ、かつ、文書読取装置の利用率およびユーザの生産性を増大させることのできるシステムおよび方法が提供される。
【０００６】
さらに、本発明によれば、文書読取装置から受信された画像データに対して光学文字認識を容易に実行するためのシステムおよび方法が、提供される。
【０００７】
さらに、本発明によれば、処理のために画像データを文書読取装置から複数の異なるエージェントへ容易に転送するためのシステムおよび方法が提供される。
【０００８】
さらにまた、本発明によれば、画像データを文書読取装置からサーバへ転送するためのシステムおよび方法が提供される。このシステムおよび方法は、画像データを関連する文書読取装置から受信することを備える。また、このシステムおよび方法は、関連するデータ転送信号を選択することを備え、データ転送信号は、少なくとも１つの選択されたデータ転送形式およびデータ転送ターゲットを表現するデータを含む。このシステムおよび方法は、さらに、選択されたデータ転送信号に基づいて、画像データを関連する文書読取装置からデータ転送システムを介して関連するファイルサーバへ送信することを備える。
【０００９】
さらにまた、本発明によれば、文書読取装置から受信された画像データをアーカイブし、アーカイブされた画像データをファイルサーバへ送信するためのシステムおよび方法が提供される。このシステムおよび方法は、画像データを関連する文書読取装置から受信することを備える。また、このシステムおよび方法は、関連するデータ転送信号を選択することを備え、データ転送信号は、少なくとも１つの選択されたデータ転送形式およびデータ転送ターゲットを表現するデータを含む。このシステムおよび方法は、さらに、画像データを圧縮およびアーカイブすることを備え、そして、選択されたデータ転送信号に基づいて、アーカイブされた画像データを関連する文書読取装置からデータ転送システムを介して関連するファイルサーバへ送信する手段を備える。
【００１０】
さらにまた、本発明によれば、文書読取装置から受信された画像データに対して光学文字認識を実行するためのシステムおよび方法が提供される。このシステムおよび方法は、画像データを関連する文書読取装置から受信することを備える。このシステムおよび方法は、さらに、画像データに対して光学文字認識を実行するための光学文字認識パラメータを選択することを備える。また、このシステムおよび方法は、選択された光学文字認識パラメータに基づいて、画像データに対して光学文字認識を実行することを備える。
【００１１】
さらにまた、本発明によれば、画像データを文書読取装置から複数のエージェントへ転送するためのシステムおよび方法が提供される。このシステムおよび方法は、画像データを関連する文書読取装置から受信することを備える。また、このシステムおよび方法は、関連するエージェントごとの関連するデータ転送信号を選択することを備え、それぞれのデータ転送信号は、選択されたデータ転送形式を表現するデータを含み、選択されたデータ転送形式は、それぞれのエージェントごとに同じである。このシステムおよび方法は、さらに、それぞれのエージェントごとに選択されたデータ転送信号に基づいて、画像データを関連する文書読取装置からデータ転送システムを介して関連するそれぞれのエージェントへ送信することを備え、画像データは、順次、文書読取装置からそれぞれのエージェントへ送信される。
【００１２】
本発明のシステムおよび方法の利点には、限定はされないが、画像データを文書読取装置とファイルサーバとの間で容易に転送できること、Ｗｉｎｄｏｗｓ（登録商標）ユーザおよび非Ｗｉｎｄｏｗｓ（登録商標）ユーザが画像データに容易にアクセスできること、文書読取装置の利用率およびユーザの生産性を増大させること、共有ネットワークドライブに記憶されたすべての画像データをバックアップできること、画像データを他のアプリケーション形式に容易に変換できること、画像データを文書読取装置と複数のエージェントとの間で容易に転送できること、および、画像データをマルチ処理できることが含まれる。
【００１３】
この分野に通常の知識を有する者は、本明細書を読んで理解することによって、これらのまたその他の利点、側面、および、特徴を理解することができる。
【発明を実施するための最良の形態】
【００１４】
一実施形態においては、本発明は、画像データを文書読取装置からサーバへ転送するためのシステムおよび方法を提供することを目的とする。図１は、符号１００によって概略的に示される本発明によるシステムの好ましい実施形態のブロック構成図を示す。システムは、スキャナまたはコピー機のような画像データを生成するための文書読取装置１０２を備える。文書読取装置は、適切なものであれば、この分野において良く知られているどのような文書読取装置であってもよい。好ましくは、文書読取装置は、スキャン装置、複写機、および、光学文字認識装置である。文書読取装置は、さらに、コントローラ１０４を備え、そのコントローラ１０４は、文書読取装置の機能を制御し、かつ、画像データを記憶するための記憶手段を含む。
【００１５】
動作中、ユーザは、画像データを生成するために、文書またはその他のデータを文書読取装置へ入力し、画像データを生成するための所望の設定を選択する。画像データは、レクターファイル１０６として、コントローラまたはその他の何らかの適切なメモリ装置に記憶される。そして、符号１０８によって示されるように、画像データは、コントローラによって、ＴＩＦＦ（登録商標）またはＰＤＦ（登録商標）のような適切な形式に変換される。コントローラに存在する画像データにアクセスするのに、転送エージェント１１０が使用される。データ転送セッションが、リモートファイルサーバ１１４への通信リンク１１２上で開始され、その結果として、画像データが、データ転送システムを介して、リモートファイルサーバへ転送される。通信リンクは、１つかまたはそれ以上のセグメントの有線通信または無線通信からなる。適切な通信リンクは、限定はしないが、ＦＴＰＬＩＢ−３．１を含む。好ましい実施形態においては、ファイルサーバは、ＦＴＰサーバであり、データ転送システムは、ＦＴＰである。好ましくは、データ転送は、ＬｉｎｕｘまたはＵｎｉｘ（登録商標）下で動作するシステムにおいて達成される。
【００１６】
コントローラ１０４は、画像データを生成するための所望の設定を選択する手段、および、生成された画像データをサーバへ転送するための所望のデータ転送信号を選択する手段を含む。図２ａおよび図２ｂは、文書画像装置および転送信号を適切に設定するための好ましい例としてのサマリーテンプレートを示す。図２ａは、サマリー画面２００の上半分を示す。画面は、選択された文書スキャン方法２０２、文書タイプ２０４、露光量２０６、および、用紙サイズ２０８を示す。また、画面は、画像データが転送されるべきサーバのＩＰアドレスおよびポート２１０、ユーザネーム２１２、および、ユーザのパスワード２１４を示す。ユーザは、設定をキャンセルするにはキャンセルボタン２１６を選択し、あるいは、プロセスを開始するにはスキャンボタン２１８を選択する。また、図３ａ、図３ｂ、および、図３ｃに示されるように、スキャンパラメータを変更するために、ユーザは、設定ボタン２２０を選択してもよい。
【００１７】
図２ｂは、サマリー画面２００の下半分を示す。画面は、選択された所望のファイル形式を示し、それは、シングルページＴＩＦＦ（登録商標）２２２、マルチページＴＩＦＦ（登録商標）２２４、マルチページＰＤＦ（登録商標）２２６から選択される。また、画面は、画像データが記憶されるべき選択されたフォルダ２２８、および、画像データの文書名２３０を示す。
【００１８】
画像データを生成するための所望の設定を選択するための好ましい例としての画面表示が、図３ａ、図３ｂ、および、図３ｃに示される。図３ａは、符号３００として示されるスキャンパラメータ設定画面１を示す。ユーザは、シングルページ方法３０２、ブック方法３０４、または、タブレット方法３０６のどれを用いて文書をスキャンすべきかを選択する。次に、ユーザは、符号３０８、３１０、３１２、および、３１４として示される４つの選択肢から回転を指定する。ユーザは、キャンセルボタン３１６を選択することによって、設定をキャンセルしてもよい。次へボタン３１８を選択することによって、ユーザは、スキャンパラメータ画面２へ進むことができる。また、ＯＫボタン３２０を選択することによって、ユーザは、適切なエージェントおよびそれに関連するデータ転送信号の選択に進むことができる。
【００１９】
図３ｂは、スキャンパラメータ画面２を符号３３０として示す。まず最初に、ユーザは、テキスト３３２、テキスト／写真３３４、および、写真３３６からいずれかの文書タイプを選択する。そして、ユーザは、６００ドット／インチ（ｄｐｉ）３３８、４００ｄｐｉ３４０，３００ｄｐｉ３４２、２００ｄｐｉ３４４、および、１５０ｄｐｉ３４６から画像データの解像度を選択する。そして、ユーザは、自動３４８またはマニュアル３５０から露光モードを選択する。キャンセルボタン３５２を選択することによって、ユーザは、設定をキャンセルしてもよい。前へボタン３５４を選択することによって、ユーザは、スキャンパラメータ画面１へ戻ってもよい。次へボタン３５６を選択することによって、ユーザは、スキャンパラメータ画面３へ進んでもよい。また、ＯＫボタン３５８を選択することによって、ユーザは、適切なエージェントおよびそれに関連するデータ転送信号の選択に進んでもよい。
【００２０】
図３ｃは、スキャンパラメータ画面３を符号３６０として示す。ユーザは、自動用紙サイズ検出モードとして自動３６２を選択することができる。また、ユーザは、混合原稿サイズモードとして混合原稿サイズ３６４を選択することができる。また、ユーザは、領域３６６に示される選択肢から原稿用紙サイズを選択することができる。キャンセルボタン３６８を選択することによって、ユーザは、設定をキャンセルすることができる。前へボタン３７０を選択することによって、ユーザは、スキャンパラメータ画面２へ戻ることができる。また、ＯＫボタン３７２を選択することによって、ユーザは、適切なエージェントおよびそれに関連するデータ転送信号の選択に進むことができる。
【００２１】
所望のエージェントおよびそれに関連するデータ転送信号を選択するための好ましい例としての画面表示４００が、図４に示される。まず最初に、ユーザは、エラーが発生したときに電子メールをユーザへ送信すべきかどうか（４０２）、および／または、ジョブを完了したときに電子メールをユーザへ送信すべきかどうか（４０４）を選択する。そして、ユーザは、通知を送信する電子メールアドレス４０６を入力する。そして、符号４０８によって示されるように、ユーザは、画像データを送信すべき所望のエージェントを選択する。そして、画像データを転送すべきファイルサーバ４１０およびファイルサーバポート４１２を選択することによって、ユーザは、サーバ設定を指定する。そして、ユーザは、ファイルサーバアカウントにおけるユーザのユーザ名４１４およびパスワード４１６を入力する。そして、転送に失敗したときにリトライするオプションを選択することによって、ユーザは、転送設定を選択する。転送が失敗した場合にリトライすることをユーザが選択したら、ユーザは、リトライ回数４２０およびリトライ間隔４２２を入力する。そして、画像データのファイルパス４２４およびファイル名４２６を指定することによって、ユーザは、送信先パラメータを提供する。次に、ユーザは、符号４２８として示されるように、画像データを転送すべき特定のファイル形式を選択する。画像データ形式は、好ましくは、ＰＤＦ（登録商標）、シングルページＴＩＦＦ（登録商標）、および、マルチページＴＩＦＦ（登録商標）から選択される。また、符号４３０として示されるように、ボックスにチェック印を入れることによって、ユーザは、同じ名前を有する既存のファイルに上書きするかどうかを選択することができる。そして、ユーザは、設定を保存するためのＯＫボタン４３２または入力された設定をキャンセルするためのキャンセルボタン４３４を選択することができる。
【００２２】
ＯＫボタンを選択すると、コントローラ１０４は、画像データをファイルサーバへ転送するプロセスを開始する。一実施形態においては、符号５００として図５に示されるように、ジョブのステータスが、例としてのステータス画面に提供される。ジョブログが、符号５０２として示され、特定のジョブのステータスが、符号５０４として示される。また、上述したように、ステータスおよび何らかのエラーに関する電子メール通知が、ユーザへ送信される。
【００２３】
別の実施形態においては、本発明は、画像データを文書読取装置からファイルサーバへ転送するためのシステムおよび方法を提供することを目的とする。図６は、符号６００として概略的に示される本発明によるシステムの好ましい実施形態のブロック構成図を示す。システムは、スキャナまたはコピー機のような、画像データを生成するための文書読取装置６０２を備える。文書読取装置は、この分野において知られている何らかの適切な文書読取装置である。好ましくは、文書読取装置は、スキャン装置、複写機、および、光学文字認識装置である。より好ましくは、文書読取装置は、スキャン装置である。
【００２４】
文書読取装置は、さらに、コントローラ６０４を備え、そのコントローラ６０４は、文書読取装置の機能を制御し、かつ、画像データを記憶するための記憶手段を含む。コントローラは、図６においてＧＬ−Ｓｈａｒｅ６０６およびＧＬ−Ｔｗａｉｎ６０８と呼ばれる２つの記憶ユニットを有する。
【００２５】
動作中、ユーザは、画像データを生成するために、文書またはその他のデータを文書読取装置へ入力する。コントローラの画像データにアクセスするために、アーカイブユーティリティ６１０が、使用される。データ転送セッションが、リモートファイルサーバ６１４への通信リンク６１２上で開始され、その結果として、画像データが、データ転送システムを介して、リモートファイルサーバへ転送される。通信リンクは、１つかまたはそれ以上のセグメントの有線通信または無線通信からなる。適切な通信リンクは、限定はしないが、ＦＴＰＬＩＢ−３．１を含む。好ましい実施形態においては、ファイルサーバは、ＦＴＰサーバであり、データ転送システムは、ＦＴＰである。好ましくは、データ転送は、ＬｉｎｕｘまたはＵｎｉｘ（登録商標）下で動作するシステムにおいて達成される。
【００２６】
所望のエージェントおよびそれに関連するデータ転送信号を選択するための好ましい例としての画面表示７００が、図７に示される。まず最初に、ユーザは、圧縮、アーカイブ、および、転送されるべきデータが、符号７０２として示されるＧＬ−Ｓｈａｒｅデータか、符号７０４として示されるＧＬ−Ｔｗａｉｎデータか、または、それらの両方かを選択する。典型的には、２つの種類の画像データが、コントローラに記憶され、それらは、Ｔｗａｉｎ（ＧＬ−Ｔｗａｉｎ）画像データおよびＳｈａｒｅ（ＧＬ−Ｓｈａｒｅ）画像データである。ユーザは、サーバへ転送しなければならないデータを選択することができる。
【００２７】
そして、ユーザは、画像データが転送されるべきファイルサーバ７０６およびファイルサーバポート７０８を指定する。そして、ユーザは、そのユーザのユーザＩＤをサーバアカウント７１０に入力し、パスワードをサーバアカウント７１２に入力する。次に、ユーザは、サーバに記憶されるべき圧縮ファイルのファイル名７１４およびファイルパス７１６を入力する。さらに、チェックボックス７１８によって、ユーザは、サーバ上の同じファイル名を有する既存のファイルに自動的に上書きすることができる。
【００２８】
３つのプッシュボタン７２０、７２２、および、７２４が、図７に示され、それらは、アクションを開始するためのものである。アーカイブボタン７２０を選択することによって、現在の設定が、保存され、画像データをサーバに保存するプロセスを開始する。セットボタン７２２を選択することによって、現在表示されている設定が、コントローラに保存される。リセットボタン７２４を選択することによって、新しく表示されたすべての設定が、消去され、古い設定が、表示される。
【００２９】
アーカイブボタンを選択すると、コントローラ６０４は、画像データをファイルサーバへ転送するプロセスを開始する。一実施形態においては、符号８００として図８に示されるように、ジョブのステータスが、例としてのステータス画面によって提供される。ジョブログが、符号８０２として示され、特定のジョブのステータスが、符号８０４として示される。
【００３０】
別の実施形態においては、本発明は、文書読取装置から受信された画像データの光学文字認識を実行するためのシステムおよび方法を提供することを目的とする。図９は、符号９００によって概略的に示される本発明によるシステムの好ましい実施形態のブロック構成図を示す。システムは、スキャナまたはコピー機のような、画像データを生成するための文書読取装置９０２を備える。文書読取装置は、この分野において知られている何らかの適切な文書読取装置である。好ましくは、文書読取装置は、スキャン装置、複写機、および、それらに類似する装置である。より好ましくは、文書読取装置は、スキャン装置である。文書読取装置は、さらに、コントローラ９０４を備え、そのコントローラ９０４は、文書読取装置の機能を制御し、かつ、画像データを記憶するための記憶手段を含む。
【００３１】
動作中、ユーザは、画像データを生成するために、文書またはその他のデータを文書読取装置へ入力し、また、画像データを生成するための所望の設定を選択する。画像データは、レクターファイル９０６として、コントローラまたはその他の何らかの適切なメモリ装置に記憶される。そして、符号９０８によって示されるように、画像データは、コントローラによって、ＴＩＦＦ（登録商標）のような適切な形式に変換される。コントローラ内に存在するＯＣＲ転送エージェント９１０が、コントローラに存在する画像データにアクセスするのに使用される。ＯＣＲ転送エージェントは、光学文字認識変換文書９１２を生成するために、光学文字認識アプリケーションまたは光学文字認識装置を用いて、画像データに対して光学文字認識を実行する。適切な光学文字認識アプリケーションまたは光学文字認識装置は、限定はしないが、Ｃｌａｒａ  ＯＣＲを含む。好ましい実施形態においては、ユーザによって選択されたパラメータに応じて、画像データが、選択された形式に変換される。光学文字認識装置によって生成された文書は、コントローラ内の指定されたロケーションに記憶される。
【００３２】
所望の光学文字認識パラメータを選択するための好ましい例としての画面表示１０００が、図１０に示される。まず最初に、ユーザは、画像データを転送すべき特定の文書タイプを選択し、それは、符号１００２として示される。そして、ユーザは、符号１００４によって示されるように、ＯＣＲの解像度を入力し、符号１００６によって示されるように、スキャンモードを入力し、符号１００８によって示されるように、輝度を入力する。上述したように、画像データを生成するために選択されたパラメータは、領域１０１０に示される。ユーザが、スキャンパラメータを変更したい場合、ユーザは、設定ボタン１０１２を選択する。キャンセルボタン１０１４を選択することによって、ユーザは、光学文字認識パラメータをキャンセルすることができる。スキャンボタン１０１６または１０１８を選択することによって、ユーザは、スキャンプロセスを開始することができる。更新ボタン１０１４を選択することによって、ユーザは、この情報を保存することができる。
【００３３】
スキャンパラメータ画面または光学文字認識パラメータ画面のいずれかにおいてスキャンボタンを選択すると、コントローラ９０４は、画像データを生成するプロセスを開始する。そして、データは、ＴＩＦＦ（登録商標）イメージに変換され、スキャンｔｏＯＣＲ転送エージェントが、画像データに対して光学文字認識を実行する。その結果として得られた文書は、コントローラに保存される。
【００３４】
別の実施形態においては、本発明は、画像データを文書読取装置から複数のエージェントへ転送するためのシステムおよび方法を提供することを目的とする。図１１は、符号１１００として概略的に示される本発明によるシステムの好ましい実施形態のブロック構成図を示す。システムは、スキャナまたはコピー機のような、画像データを生成するための文書読取装置１１０２を備える。文書読取装置は、この分野において知られている何らかの適切な文書読取装置である。好ましくは、文書読取装置は、スキャン装置、複写機、および、ファクシミリ装置である。より好ましくは、文書読取装置は、スキャン装置またはファクシミリ装置である。文書読取装置は、さらに、コントローラ１１０４を備え、そのコントローラ１１０４は、文書読取装置の機能を制御し、かつ、画像データを記憶するための記憶手段を含む。
【００３５】
動作中、ユーザは、画像データを生成するために、文書またはその他のデータを文書読取装置へ入力し、また、画像データを生成するための所望の設定を選択する。画像データは、レクターファイル１１０６として、コントローラまたはその他の何らかの適切なメモリ装置に記憶される。そして、符号１１０８によって示されるように、画像データは、コントローラによって、ＴＩＦＦ（登録商標）またはＰＤＦ（登録商標）のような適切な形式に変換される。それぞれのエージェントごとに、同じ形式が使用される。転送エージェントは、コントローラに存在する画像データにアクセスするのに使用される。データ転送セッションが、通信リンク１１１０上で開始され、その結果として、画像データが、データ転送システムを介して、順次、それぞれのエージェントへ転送される。通信リンクは、１つかまたはそれ以上のセグメントの有線通信または無線通信からなる。
【００３６】
好ましい実施形態においては、図１１において符号１１１２、１１１４、１１１６、および、１１１８によって示されるように、それぞれのエージェントごとに、転送エージェントが存在する。一実施形態においては、画像データは、文書読取装置によって決定された順序で文書読取装置からそれぞれのエージェントへ送信される。別の実施形態においては、画像データは、先行する転送エージェントによって決定された順序で文書読取装置からそれぞれのエージェントへ送信される。図１１に示されるように、画像データは、データ転送信号に基づいて、文書読取装置から第１の転送エージェント１１１２へ送信される。そして、画像は、データ転送信号に基づいて、第１の転送エージェントから第２の転送エージェント１１１４へ送信される。
【００３７】
好ましい実施形態においては、文書読取装置コントローラは、少なくとも１つのデータ記憶領域またはメールボックスを含む。この実施形態においては、画像データは、少なくとも１つのデータ記憶領域内に受信され、そして、少なくとも１つのデータ記憶領域から複数のエージェントへ送信される。より好ましい実施形態においては、少なくとも１つのデータ記憶領域は、少なくとも１つのシステムユーザに対応する。ユーザは、画像データを受信するためのデータ記憶領域を選択する。この分野で知られている何らかの方法でデータ記憶領域に関する選択された情報を提供することによって、ユーザは、適切なデータ記憶領域を指定する。そのような情報は、限定はしないが、データ記憶領域ロケーション、データ記憶領域名、アクセス許可、データ記憶領域に対応するユーザ名、および、ユーザ名パスワードを含む。そして、ユーザによって提供された情報は、正しいかどうか確認され、正しければ、ユーザは、画像データを受信して複数のエージェントへ転送するために、データ記憶領域にアクセスすることができる。
【００３８】
コントローラ１１０４は、画像データを生成するための所望の設定を選択する手段、および、画像を転送するためのそれぞれのエージェントごとの所望のデータ転送信号を選択する手段を含む。
【００３９】
図１２は、画像データを生成するための所望の設定を選択するための好ましい例としての画面表示１２００を示す。ユーザは、符号１２０２において、それが両面スキャン画像かどうかを選択する。そして、ユーザは、符号１２０４において回転を指定し、符号１２０６において文書タイプを指定し、符号１２０８において解像度を指定し、符号１２１０において露光量を指定し、符号１２１２において原稿サイズを指定する。そして、ユーザは、設定を保存するためのＯＫボタン１２１４、または、入力した設定をキャンセルするためのキャンセルボタン１２１６を選択することができる。
【００４０】
図１３は、システムが画像データを複数のエージェントへ送信できるようにするための好ましい例としての画面表示１３００を示す。符号１３０２において指定された領域は、画像データを文書読取装置から受信するかもしれない様々なエージェントを示す。システムが画像データを複数のエージェントへ送信できるようにするためには、ユーザは、符号１３０４において、そのオプションを選択する。このオプションを有効にすると、システムは、単一ファイル形式で選択された複数のエージェントだけに画像データを送信する。好ましくは、画像データは、マルチページＴＩＦＦ（登録商標）形式で選択された複数のエージェントへ送信される。ユーザが、このオプションを選択してしまえば、ユーザは、設定を保存するためにＯＫボタン１３０６を選択し、あるいは、入力した設定をキャンセルするためにキャンセルボタン１３０８を選択してもよい。
【００４１】
図１４は、画像データを受信し、かつ、メールボックスから画像データを受信するためにエージェントをメールボックスに対応させるために、文書読取装置コントローラにおいてメールボックスを設定するための好ましい例としての画面表示１４００を示す。関連するエージェントは、文書読取装置からデータが送信されるかもしれない何らかの適切なエージェントを含む。適切なエージェントは、限定はしないが、ストレージリポジトリ、サーバ、画像生成装置、および、光学文字認識システムを含む。画面は、メールボックス番号１４０２のようなメールボックスに関する情報、メールボックスがパスワードで保護されているかどうか（１４０４）、転送のステータスに関する電子メール通知をユーザが希望するかどうか（１４０６）、および、関連するエージェント１４０８、１４１０、１４１２に関する情報を提供する。編集ボタン１４１４を選択することによって、ユーザは、メールボックス属性を編集してもよい。それによって、ユーザは、メールボックスに関連する様々な属性を編集することができる。パスワード変更ボタン１４１６を選択することによって、ユーザは、メールボックスに対応するパスワードを変更してもよい。それによって、ユーザは、パスワードを変更するようにプロンプトによって促される。削除ボタン１４１８を選択することによって、ユーザは、メールボックスを削除してもよい。それによって、メールボックスは、文書読取装置コントローラから削除される。
【００４２】
エージェント追加ボタン１４２０を選択することによって、ユーザは、メールボックスに対応するエージェントを追加してもよい。それによって、ユーザは、どのエージェントを追加したいのかをプロンプトによって促され、また、そのようなエージェントに画像データを送信するための所望のデータ転送信号を選択するための適切なテンプレートが表示される。。エージェント削除ボタン１４２２を選択し、それによって、削除すべき１つかまたは複数のエージェントを選択することによって、ユーザは、エージェントを削除してもよい。エージェント編集ボタン１４２４を選択することによって、ユーザは、エージェントに対応する所望のデータ転送信号を編集してもよい。それによって、ユーザは、編集すべきエージェントを選択し、所望の転送信号を編集するための適切なテンプレートが表示される。。
【００４３】
生成された画像データをＦＴＰサーバへ送信するための所望のデータ転送信号を選択するための好ましい例としての画面表示１５００が、図１５に示される。画像データが送信されるべき所望のエージェントが、符号１５０２に示される。そして、画像データが転送されるべきファイルサーバ１５０４およびファイルサーバポート１５０６を選択することによって、ユーザは、サーバ設定を指定する。そして、ユーザは、ファイルサーバアカウントにおけるユーザのユーザ名１５０８およびパスワード１５１０を入力する。そして、転送に失敗したときにリトライするオプション１５１２を選択することによって、ユーザは、転送設定を選択する。転送が失敗した場合にリトライすることをユーザが選択したら、ユーザは、リトライ回数１５１４およびリトライ間隔１５１６を入力する。そして、画像データのファイルパス１５１８およびファイル名１５２０を指定することによって、ユーザは、送信先パラメータを提供する。図１２に示されるように、システムに画像データを複数のエージェントへ送信させるようにしたときに選択されたファイル形式が、符号１５２２に示される。好ましくは、ファイル形式は、マルチページＴＩＦＦ（登録商標）である。また、符号１５２４として示されるボックスにチェック印を入れることによって、ユーザは、同じ名前を有する既存のファイルに上書きするかどうかを選択することができる。そして、ユーザは、設定を保存するためのＯＫボタン１５２６を選択し、あるいは、入力した設定をキャンセルするためのキャンセルボタン１５２８を選択することができる。
【００４４】
生成された画像データをＴＷＡＩＮエージェントへ送信するための所望の転送信号を選択するための好ましい例としての画面表示１６００が、図１６に示される。画像データが送信されるべき所望のエージェントが、符号１６０２として示される。そして、ユーザは、ファイル名１６０４および画像データが送信されるべきフォルダロケーション１６０６を指定する。そして、ユーザは、設定を保存するためのＯＫボタン１６０８を選択することができ、あるいは、入力した設定をキャンセルするためのキャンセルボタン１６１０を選択することができる。図１２に示されるようにシステムが画像データを複数のエージェントへ送信できるようにしたときに選択されたファイル形式は、この画面には表示されない。好ましくは、ファイル形式は、マルチページＴＩＦＦ（登録商標）である。
【００４５】
生成された画像データをファイルへ送信するための所望のデータ転送信号を選択するための好ましい例としての画面表示１７００が、図１７に示される。画像データが送信されるべき所望のエージェントが、符号１７０２として示される。そして、ユーザは、ファイルのロケーション１７０４、ファイルパス１７０６、および、ファイル名１７０８を指定する。図１２に示されるようにシステムが画像データを複数のエージェントへ送信できるようにしたときに選択されたファイル形式が、符号１７１０に示される。好ましくは、ファイル形式は、マルチページＴＩＦＦ（登録商標）である。そして、ユーザは、設定を保存するためのＯＫボタン１７１２を選択することができ、あるいは、入力した設定をキャンセルするためのキャンセルボタン１７１４を選択することができる。
【００４６】
図１８は、生成された画像データを電子メールアドレスへ送信するための所望のデータ転送信号を選択するための好ましい例としての画面表示１８００を示す。画像データが送信されるべき所望のエージェントが、符号１８０２として示される。そして、ユーザは、メールを送信する人の名前１８０４、返信メールアドレス１８０６、メールを受信する人の名前１８０８、メールの件名１８１０、および、メールに添えられる何らかのテキスト１８１２を入力する。図１２に示されるようにシステムが画像データを複数のエージェントへ送信できるようにしたときに選択されたファイル形式が、符号１８１４に示される。好ましくは、ファイル形式は、マルチページＴＩＦＦ（登録商標）である。また、ユーザは、メッセージ細分化がなされるかどうか（１８１６）を指定することができる。そして、ユーザは、設定を保存するためのＯＫボタン１８１８を選択することができ、あるいは、入力した設定をキャンセルするためのキャンセルボタン１８２０を選択することができる。
【００４７】
図１９は、生成された画像データをファクシミリ装置へ送信するための所望のデータ転送信号を選択するための好ましい例としての画面表示１９００を示す。画像データが送信されるべき所望のエージェントが、符号１９０２として示される。そして、ユーザは、ファクシミリを送信する人の名前１９０４、返信メールアドレス１９０６、メールを受信する人の名前１９０８、ファクシミリの件名１９１０、および、ファクシミリに添えられる何らかのテキスト１９１２を入力する。図１２に示されるようにシステムが画像データを複数のエージェントへ送信できるようにしたときに選択されたファイル形式が、符号１９１４に示される。好ましくは、ファイル形式は、マルチページＴＩＦＦ（登録商標）である。また、ユーザは、メッセージ細分化がなされるかどうか（１９１６）を指定することができる。そして、ユーザは、設定を保存するためのＯＫボタン１９１８を選択することができ、あるいは、入力した設定をキャンセルするためのキャンセルボタン１９２０を選択することができる。
【００４８】
図２０は、生成された画像データをフォルダまたはその他のストレージリポジトリへ送信するための所望のデータ転送信号を選択するための好ましい例としての画面表示２０００を示す。画像データが送信されるべき所望のエージェントが、符号２００２として示される。ユーザは、フォルダ名２００４、フォルダの種類２００６、および、フォルダパス２００８を指定する。ユーザが、プライベートフォルダを選択すれば、ユーザは、ユーザのログイン名２０１０およびフォルダにアクセスするためのユーザのパスワード２０１２を提供しなければならない。また、ユーザは、符号２０１４として示されるように、そのユーザのパスワードを再入力または確認しなければならない。そして、ユーザは、符号２０１６として示されるように、文書の名前を入力する。そして、ユーザは、設定を保存するためのＯＫボタン２０１８を選択することができ、あるいは、入力した設定をキャンセルするためのキャンセルボタン２０２０を選択することができる。図１２に示されるようにシステムが画像データを複数のエージェントへ送信できるようにしたときに選択されたファイル形式は、この画面には表示されない。好ましくは、ファイル形式は、マルチページＴＩＦＦ（登録商標）である。
【００４９】
ユーザが、生成された画像データが送信されるべきすべてのエージェントを選択したら、ユーザは、プロセスを開始し、コントローラ１１０４は、画像データを関連するエージェントへ送信するプロセスを開始する。また、上述したように、ステータスおよび何らかのエラーに関する電子メール通知が、ユーザに送信される。
【００５０】
好ましい実施形態において、本発明は、ソフトウェアによって実施されるが、この分野に精通する者には容易に理解できるように、ハードウェアまたはソフトウェアとハードウェアとの組み合わせによって実施されてもよい。
【００５１】
好ましい実施形態を詳細に説明したが、添付の特許請求の範囲に定義された本発明の精神および範囲から逸脱することなく、これらの実施形態に様々な変更、置換、変形を施すことができることを理解すべきである。この分野に精通する者によって、本発明の特徴を説明するためにここに説明され図示された構成要素の細部、材料、および、配置における様々な変更を、添付の特許請求の範囲に記載された本発明の原理および範囲内において、なすことができることは明らかなことである。
【図面の簡単な説明】
【００５２】
【図１】本発明によるシステムの好ましい実施形態を説明するブロック構成図である。
【図２ａ】文書読取装置およびデータ転送信号を適切に設定するための例としてのサマリーテンプレートを示す図である。
【図２ｂ】文書読取装置およびデータ転送信号を適切に設定するための例としてのサマリーテンプレートを示す図である。
【図３ａ】文書読取装置の所望の設定を選択するための例としてのテンプレートを示す図である。
【図３ｂ】文書読取装置の所望の設定を選択するための例としてのテンプレートを示す図である。
【図３ｃ】文書読取装置の所望の設定を選択するための例としてのテンプレートを示す図である。
【図４】生成された画像データをファイルサーバへ送信するための所望のデータ転送信号を選択するための例としてのテンプレートを示す図である。
【図５】画像データを転送したときのステータスを示す例としての画面を示す図である。
【図６】本発明によるシステムの好ましい実施形態を説明するブロック構成図である。
【図７】生成された画像データをファイルサーバへ送信するための所望のデータ転送信号を選択するための例としてのテンプレートを示す図である。
【図８】画像データを転送したときのステータスを示す例としての画面を示す図である。
【図９】本発明によるシステムの好ましい実施形態を説明するブロック構成図である。
【図１０】生成された画像データをファイルサーバへ送信するための所望の光学文字認識パラメータを選択するための例としてのテンプレートを示す図である。
【図１１】本発明によるシステムの好ましい実施形態を説明するブロック構成図である。
【図１２】文書読取装置の所望の設定を選択するための例としてのテンプレートを示す図である。
【図１３】システムが画像データを複数のマルチエージェントへ送信するのを可能にするための例としてのテンプレートを示す図である。
【図１４】エージェントをユーザのメールボックスに対応させるための例としてのテンプレートを示す図である。
【図１５】生成された画像データをＦＴＰサーバへ送信するための所望のデータ転送信号を選択するための例としてのテンプレートを示す図である。
【図１６】生成された画像データをＴＷＡＩＮエージェントへ送信するための所望のデータ転送信号を選択するための例としてのテンプレートを示す図である。
【図１７】生成された画像データをファイルへ送信するための所望のデータ転送信号を選択するための例としてのテンプレートを示す図である。
【図１８】生成された画像データを電子メールアドレスへ送信するための所望のデータ転送信号を選択するための例としてのテンプレートを示す図である。
【図１９】生成された画像データをファクシミリ装置へ送信するための所望のデータ転送信号を選択するための例としてのテンプレートを示す図である。
【図２０】生成された画像データをフォルダへ送信するための所望のデータ転送信号を選択するための例としてのテンプレートを示す図である。
【符号の説明】
【００５３】
１００…本発明によるシステム、１０２…スキャン装置、１０４…ＧＬ−１０２０コントローラ、１０６…レクターファイル、１０８…ＴＩＦＦ（登録商標）ファイルまたはＰＤＦ（登録商標）ファイル、１１０…ＦＴＰ転送エージェント、１１２…通信リンク、１１４…リモートＦＴＰサーバ。
【図１】
2005528053.tif 000003
【図２ａ】
2005528053.tif 000004
【図２ｂ】
2005528053.tif 000005
【図３ａ】
2005528053.tif 000006
【図３ｂ】
2005528053.tif 000007
【図３ｃ】
2005528053.tif 000008
【図４】
2005528053.tif 000009
【図５】
2005528053.tif 000010
【図６】
2005528053.tif 000011
【図７】
2005528053.tif 000012
【図８】
2005528053.tif 000013
【図９】
2005528053.tif 000014
【図１０】
2005528053.tif 000015
【図１１】
2005528053.tif 000016
【図１２】
2005528053.tif 000017
【図１３】
2005528053.tif 000018
【図１４】
2005528053.tif 000019
【図１５】
2005528053.tif 000020
【図１６】
2005528053.tif 000021
【図１７】
2005528053.tif 000022
【図１８】
2005528053.tif 000023
【図１９】
2005528053.tif 000024
【図２０】
2005528053.tif 000025
【国際調査報告】
2005528053.tif 000026